【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
モバイルデバイスにおいて、
前記モバイルデバイス中に備えられるトランシーバによって受信されるワイヤレス信号に少なくとも部分的に基づいて複数の候補ロケーションコンテキスト識別子（ＬＣＩ）を識別することと、
前記複数の候補ＬＣＩのうちの少なくとも２つをランク付けすることと、前記複数の候補ＬＣＩのうちの前記ランク付けされた少なくとも２つは、少なくとも、トップランクの候補ＬＣＩによって参照されるエリア内に前記モバイルデバイスが位置する第１の確率または尤度を有する前記トップランクの候補ＬＣＩと、別のランクの候補ＬＣＩによって参照されるエリア内に前記モバイルデバイスが位置する第２の確率または尤度を有する前記別のランクの候補ＬＣＩとを備える、
前記トップランクの候補ＬＣＩを提示することと、
前記第１の確率または尤度と前記第２の確率または尤度との間の差がしきい値量よりも小さい場合、前記別のランクの候補ＬＣＩを提示することと、
前記提示されたトップランクの候補ＬＣＩまたは前記提示された別のランクの候補ＬＣＩの選択を受信することと、
前記選択に少なくとも部分的に基づいてワイヤレス通信チャネルを介して測位支援データを受信することと
を備える方法。
【請求項２】
既知のロケーションに位置する送信機から収集された信号に少なくとも部分的に基づいて前記複数の候補ＬＣＩを決定すること
をさらに備える、請求項１に記載の方法。
【請求項３】
前記提示されたトップランクの候補ＬＣＩまたは前記提示された別のランクの候補ＬＣＩの前記選択を確認するために、前記モバイルデバイスの位置を推定すること
をさらに備える、請求項１に記載の方法。
【請求項４】
前記モバイルデバイスの前記推定位置が前記選択を確認しない場合、提示のために修正された複数の候補ＬＣＩを取得すること
をさらに備える、請求項３に記載の方法。
【請求項５】
１つまたは複数の追加の推定位置と、前記修正された複数の候補ＬＣＩによって参照されるエリアに対応する前記追加の推定位置の１つまたは複数の不確実性とを計算することと、
前記追加の推定位置の前記１つまたは複数の不確実性がしきい値よりも低いことに少なくとも部分的に基づいて、前記モバイルデバイスが、前記複数の候補ＬＣＩのうちの１つのＬＣＩによって参照されるエリア内にあると決定することと
をさらに備える、請求項４に記載の方法。
【請求項６】
前記確認することは、１つまたは複数のアクセスポイントからの受信信号強度を測定すること、推定位置が可能な位置に対応すると決定すること、またはそれらの組合せを備える、請求項３に記載の方法。
【請求項７】
前記第１の確率または尤度および前記第２の確率または尤度が、前記複数の候補ＬＣＩのうちの第２のＬＣＩのアクセスポイントに対する、前記複数の候補ＬＣＩのうちの第１のＬＣＩのアクセスポイントの受信信号強度の指示に少なくとも部分的に基づく、請求項１に記載の方法。
【請求項８】
前記第１の確率または尤度および前記第２の確率または尤度が、前記複数の候補ＬＣＩのうちの第２のＬＣＩの複数のアクセスポイントの平均信号強度に対する、前記複数の候補ＬＣＩのうちの第１のＬＣＩの複数のアクセスポイントの平均信号強度の指示に少なくとも部分的に基づく、請求項１に記載の方法。
【請求項９】
前記第１の確率または尤度および前記第２の確率または尤度が、前記モバイルデバイスと、前記複数の候補ＬＣＩのうちの１つまたは複数の複数のアクセスポイントとの間を進む信号の往復遅延の指示に少なくとも部分的に基づく、請求項１に記載の方法。
【請求項１０】
前記第１の確率または尤度および前記第２の確率または尤度が、前記複数の候補ＬＣＩのうちの第２のＬＣＩのポピュラリティに対する、前記複数の候補ＬＣＩのうちの第１のＬＣＩのポピュラリティに少なくとも部分的に基づく、または、
前記第１の確率または尤度および前記第２の確率または尤度が、前記モバイルデバイスの１つまたは複数の前の推定位置に少なくとも部分的に基づく、または、それらの組み合わせ、請求項１に記載の方法。
【請求項１１】
前記第１の確率または尤度および前記第２の確率または尤度が、前記モバイルデバイスの少なくとも１つのセンサーからの１つまたは複数の出力信号に少なくとも部分的に基づく、請求項１に記載の方法。
【請求項１２】
高度の測定値、高度の変化の検出、１つまたは複数の垂直加速度測定値、またはそれらの任意の組合せに応答して前記トップランクの候補ＬＣＩの指示を自動的に提示すること
をさらに備える、および好ましくは、
前記トップランクの候補ＬＣＩの前記提示された指示のうちの少なくともいくつかが、マルチレベル構造の１つまたは複数の階の少なくとも一部分に対応する、請求項１に記載の方法。
【請求項１３】
前記複数の候補ＬＣＩが、前記複数の候補ＬＣＩのそれぞれのＬＣＩによって参照されるエリア内に前記モバイルデバイスがある確率または尤度の降順に提示される、請求項１に記載の方法。
【請求項１４】
請求項１−１３のいずれかの方法を実行するための命令
を備える、モバイルデバイスの１つまたは複数のプロセッサによって実行可能である、その上に記憶された機械可読命令を備える非一時的記憶媒体
を備える物品。
【請求項１５】
ワイヤレス信号を受信し、測定するための手段と、
前記ワイヤレス信号に少なくとも部分的に基づいて複数の候補ロケーションコンテキスト識別子（ＬＣＩ）を識別するための手段と、
前記複数の候補ＬＣＩのうちの少なくとも２つをランク付けするための手段と、前記複数の候補ＬＣＩのうちの前記ランク付けされた少なくとも２つは、少なくとも、トップランクの候補ＬＣＩによって参照されるエリア内にモバイルデバイスが位置する第１の確率または尤度を有する前記トップランクの候補ＬＣＩと、別のランクの候補ＬＣＩによって参照されるエリア内に前記モバイルデバイスが位置する第２の確率または尤度を有する前記別のランクの候補ＬＣＩとを備える、
前記トップランクの候補ＬＣＩを提示するための手段と、
前記第１の確率または尤度と前記第２の確率または尤度との間の差がしきい値量よりも小さい場合、前記別のランクの候補ＬＣＩを提示するための手段と、
前記提示されたトップランクの候補ＬＣＩまたは前記提示された別のランクの候補ＬＣＩの選択を受信するための手段と、
前記選択に少なくとも部分的に基づいてワイヤレス通信チャネルを介して測位支援データを受信するための手段と
を備える装置。
【手続補正２】
【補正対象書類名】明細書
【補正対象項目名】００８５
【補正方法】変更
【補正の内容】
【００８５】
[0090]現在例示的な特徴と考えられることについて例示し説明したが、請求する主題から逸脱することなく、様々な他の変更が行われ得、均等物が代用され得ることが、当業者には理解されよう。さらに、本明細書に記載の中心概念から逸脱することなく、請求する主題の教示に特定の状況を適合させるために多くの変更を行い得る。したがって、請求する主題は、開示された特定の例に限定されず、そのような請求する主題はまた、添付の特許請求の範囲内に入るすべての態様とそれらの均等物とを含み得るものとする。
以下に、本願出願の当初の特許請求の範囲に記載された発明を付記する。
［Ｃ１］
モバイルデバイスにおいて、
複数の候補ロケーションコンテキスト識別子（ＬＣＩ）を識別することと、
前記複数の候補ＬＣＩのうちの少なくとも２つをランク付けすることと、前記複数の候補ＬＣＩのうちの前記ランク付けされた少なくとも２つは、少なくとも、トップランクの候補ＬＣＩによって参照されるエリア内に前記モバイルデバイスが位置する第１の確率または尤度を有する前記トップランクの候補ＬＣＩと、別のランクの候補ＬＣＩによって参照されるエリア内に前記モバイルデバイスが位置する第２の確率または尤度を有する前記別のランクの候補ＬＣＩとを備える、
前記トップランクの候補ＬＣＩを提示することと、
前記第１の確率または尤度と前記第２の確率または尤度との間の差がしきい値量よりも小さい場合、前記別のランクの候補ＬＣＩを提示することと、
前記提示されたトップランクの候補ＬＣＩまたは前記提示された別のランクの候補ＬＣＩの選択を受信することと、
前記選択に少なくとも部分的に基づいてワイヤレス通信チャネルを介して測位支援データを受信することと
を備える方法。
［Ｃ２］
既知のロケーションに位置する送信機から収集された信号に少なくとも部分的に基づいて前記複数の候補ＬＣＩを決定すること
をさらに備える、Ｃ１に記載の方法。
［Ｃ３］
前記提示されたトップランクの候補ＬＣＩまたは前記提示された別のランクの候補ＬＣＩの前記選択を確認するために、前記モバイルデバイスの位置を推定すること
をさらに備える、Ｃ１に記載の方法。
［Ｃ４］
前記モバイルデバイスの前記推定位置が前記選択を確認しない場合、提示のために修正された複数の候補ＬＣＩを取得すること
をさらに備える、Ｃ３に記載の方法。
［Ｃ５］
１つまたは複数の追加の推定位置と、前記修正された複数の候補ＬＣＩによって参照されるエリアに対応する前記追加の推定位置の１つまたは複数の不確実性とを計算することと、
前記追加の推定位置の前記１つまたは複数の不確実性がしきい値よりも低いことに少なくとも部分的に基づいて、前記モバイルデバイスが、前記複数の候補ＬＣＩのうちの１つのＬＣＩによって参照されるエリア内にあると決定することと
をさらに備える、Ｃ４に記載の方法。
［Ｃ６］
前記確認することは、１つまたは複数のアクセスポイントからの受信信号強度を測定すること、推定位置が可能な位置に対応すると決定すること、またはそれらの組合せを備える、Ｃ３に記載の方法。
［Ｃ７］
前記第１の確率または尤度および前記第２の確率または尤度が、前記複数の候補ＬＣＩのうちの第２のＬＣＩのアクセスポイントに対する、前記複数の候補ＬＣＩのうちの第１のＬＣＩのアクセスポイントの受信信号強度の指示に少なくとも部分的に基づく、Ｃ１に記載の方法。
［Ｃ８］
前記第１の確率または尤度および前記第２の確率または尤度が、前記複数の候補ＬＣＩのうちの第２のＬＣＩの複数のアクセスポイントの平均信号強度に対する、前記複数の候補ＬＣＩのうちの第１のＬＣＩの複数のアクセスポイントの平均信号強度の指示に少なくとも部分的に基づく、Ｃ１に記載の方法。
［Ｃ９］
前記第１の確率または尤度および前記第２の確率または尤度が、前記モバイルデバイスと、前記複数の候補ＬＣＩのうちの１つまたは複数の複数のアクセスポイントとの間を進む信号の往復遅延の指示に少なくとも部分的に基づく、Ｃ１に記載の方法。
［Ｃ１０］
前記第１の確率または尤度および前記第２の確率または尤度が、前記複数の候補ＬＣＩのうちの第２のＬＣＩのポピュラリティに対する、前記複数の候補ＬＣＩのうちの第１のＬＣＩのポピュラリティに少なくとも部分的に基づく、Ｃ１に記載の方法。
［Ｃ１１］
前記第１の確率または尤度および前記第２の確率または尤度が、前記モバイルデバイスの１つまたは複数の前の推定位置に少なくとも部分的に基づく、Ｃ１に記載の方法。
［Ｃ１２］
前記第１の確率または尤度および前記第２の確率または尤度が、前記モバイルデバイスの少なくとも１つのセンサーからの１つまたは複数の出力信号に少なくとも部分的に基づく、Ｃ１に記載の方法。
［Ｃ１３］
高度の測定値、高度の変化の検出、１つまたは複数の垂直加速度測定値、またはそれらの任意の組合せに応答して前記トップランクの候補ＬＣＩの指示を自動的に提示すること
をさらに備える、Ｃ１に記載の方法。
［Ｃ１４］
前記トップランクの候補ＬＣＩの前記提示された指示のうちの少なくともいくつかが、マルチレベル構造の１つまたは複数の階の少なくとも一部分に対応する、Ｃ１３に記載の方法。
［Ｃ１５］
前記複数の候補ＬＣＩが、前記複数の候補ＬＣＩのそれぞれのＬＣＩによって参照されるエリア内に前記モバイルデバイスがある確率または尤度の降順に提示される、Ｃ１に記載の方法。
［Ｃ１６］
モバイルデバイスであって、
ディスプレイデバイスと、
ワイヤレス信号を受信および送信するためのトランシーバと、
前記トランシーバによって受信された前記ワイヤレス信号に少なくとも部分的に基づいて複数の候補ロケーションコンテキスト識別子（ＬＣＩ）を識別することと、
前記複数の候補ＬＣＩのうちの少なくとも２つをランク付けすることと、前記複数の候補ＬＣＩのうちの前記ランク付けされた少なくとも２つは、少なくとも、トップランクの候補ＬＣＩによって参照されるエリア内に前記モバイルデバイスが位置する第１の確率または尤度を有する前記トップランクの候補ＬＣＩと、別のランクの候補ＬＣＩによって参照されるエリア内に前記モバイルデバイスが位置する第２の確率または尤度を有する前記別のランクの候補ＬＣＩとを備える、
前記ディスプレイデバイス上で前記トップランクの候補ＬＣＩの提示を開始することと、
前記第１の確率または尤度と前記第２の確率または尤度との間の差がしきい値量よりも小さい場合、前記ディスプレイデバイス上で前記別のランクの候補ＬＣＩの提示を開始することと、
ユーザインターフェースを介して、前記提示されたトップランクの候補ＬＣＩまたは前記提示された別のランクの候補ＬＣＩの選択の受信を開始することと、
前記トランシーバを介して、前記選択に少なくとも部分的に基づいて測位支援データの受信を開始することと
を行うように構成された１つまたは複数のプロセッサと
を備えるモバイルデバイス。
［Ｃ１７］
前記１つまたは複数のプロセッサが、
既知のロケーションに位置するワイヤレス送信機から収集された信号に少なくとも部分的に基づいて前記複数の候補ＬＣＩを決定すること
を行うようにさらに構成された、Ｃ１６に記載のモバイルデバイス。
［Ｃ１８］
前記１つまたは複数のプロセッサが、
前記モバイルデバイス上で動作している位置推定アプリケーションに、前記複数の候補ＬＣＩのうちの前記ランク付けされた少なくとも２つのうちの１つのユーザ選択を確認するように指示すること
を行うようにさらに構成された、Ｃ１７に記載のモバイルデバイス。
［Ｃ１９］
前記１つまたは複数のプロセッサが、
１つまたは複数のアクセスポイントからの受信信号強度の測定を開始すること、推定位置が可能な位置に対応すると決定すること、またはそれらの組合せ
を行うようにさらに構成された、Ｃ１８に記載のモバイルデバイス。
［Ｃ２０］
前記１つまたは複数のプロセッサが、
ＬＣＩのアクセスポイントの受信信号強度の指示、ＬＣＩのアクセスポイントのグループの平均受信信号強度の指示、前記モバイルデバイスの前の推定位置、前記モバイルデバイスの１つまたは複数のセンサーの出力信号、またはそれらの任意の組合せに少なくとも部分的に基づいて、前記第１の確率または尤度と前記第２の確率または尤度とを決定すること
を行うようにさらに構成された、Ｃ１６に記載のモバイルデバイス。
［Ｃ２１］
前記１つまたは複数のプロセッサが、
前記ディスプレイデバイス上で、気圧、垂直加速度、またはそれらの組合せに基づく高度の変化の検出に応答して前記複数の候補ＬＣＩのうちの前記少なくとも２つの指示の提示を開始すること
を行うようにさらに構成された、Ｃ１６に記載のモバイルデバイス。
［Ｃ２２］
前記１つまたは複数のプロセッサは、
高度の前記変化がマルチレベル構造の階指定の変化に対応すると決定すること
を行うようにさらに構成された、Ｃ２１に記載のモバイルデバイス。
［Ｃ２３］
前記１つまたは複数のプロセッサは、
前記モバイルデバイスがその内に位置するエリアに対応するＬＣＩの確率または尤度指示の降順に提示すること
を行うようにさらに構成された、Ｃ１６に記載のモバイルデバイス。
［Ｃ２４］
複数の候補ロケーションコンテキスト識別子（ＬＣＩ）を識別するための命令と、
前記複数の候補ＬＣＩのうちの少なくとも２つをランク付けするための命令と、前記複数の候補ＬＣＩのうちの前記ランク付けされた少なくとも２つは、少なくとも、トップランクの候補ＬＣＩによって参照されるエリア内にモバイルデバイスが位置する第１の確率または尤度を有する前記トップランクの候補ＬＣＩと、別のランクの候補ＬＣＩによって参照されるエリア内に前記モバイルデバイスが位置する第２の確率または尤度を有する前記別のランクの候補ＬＣＩとを備える、
ディスプレイデバイス上で前記トップランクの候補ＬＣＩを提示するための命令と、
前記第１の確率または尤度と前記第２の確率または尤度との間の差がしきい値量よりも小さい場合、前記ディスプレイデバイス上で前記別のランクの候補ＬＣＩを提示するための命令と、
前記提示されたトップランクの候補ＬＣＩまたは前記提示された別のランクの候補ＬＣＩの選択を受信するための命令と、
前記選択に少なくとも部分的に基づいてワイヤレス通信チャネルを介して測位支援データを受信するための命令と
を備える、前記モバイルデバイスの１つまたは複数のプロセッサによって実行可能である、その上に記憶された機械可読命令を備える非一時的記憶媒体
を備える物品。
［Ｃ２５］
前記モバイルデバイスの前記１つまたは複数のプロセッサによって実行可能である、その上に記憶された前記機械可読命令を備える前記記憶媒体が、
既知のロケーションに位置する送信機から収集された信号に少なくとも部分的に基づいて前記複数の候補ＬＣＩを決定するための命令
をさらに備える、Ｃ２４に記載の物品。
［Ｃ２６］
前記モバイルデバイスの前記１つまたは複数のプロセッサによって実行可能である、その上に記憶された前記機械可読命令を備える前記記憶媒体が、
前記複数の候補ＬＣＩのうちの前記ランク付けされた少なくとも２つのそれぞれの候補ＬＣＩによって参照されるエリア内に前記モバイルデバイスがある確率または尤度の降順で、前記複数の候補ＬＣＩのうちの前記ランク付けされた少なくとも２つを表示するための命令
をさらに備える、Ｃ２４に記載の物品。
［Ｃ２７］
ワイヤレス信号を受信し、測定するための手段と、
複数の候補ロケーションコンテキスト識別子（ＬＣＩ）を識別するための手段と、
前記複数の候補ＬＣＩのうちの少なくとも２つをランク付けするための手段と、前記複数の候補ＬＣＩのうちの前記ランク付けされた少なくとも２つは、少なくとも、トップランクの候補ＬＣＩによって参照されるエリア内にモバイルデバイスが位置する第１の確率または尤度を有する前記トップランクの候補ＬＣＩと、別のランクの候補ＬＣＩによって参照されるエリア内に前記モバイルデバイスが位置する第２の確率または尤度を有する前記別のランクの候補ＬＣＩとを備える、
前記トップランクの候補ＬＣＩを提示するための手段と、
前記第１の確率または尤度と前記第２の確率または尤度との間の差がしきい値量よりも小さい場合、前記別のランクの候補ＬＣＩを提示するための手段と、
前記提示されたトップランクの候補ＬＣＩまたは前記提示された別のランクの候補ＬＣＩの選択を受信するための手段と、
前記選択に少なくとも部分的に基づいてワイヤレス通信チャネルを介して測位支援データを受信するための手段と
を備える装置。
［Ｃ２８］
前記複数の候補ＬＣＩのうちの少なくとも２つをランク付けするための前記手段が、前記複数の候補ＬＣＩのうちの前記少なくとも２つのそれぞれのＬＣＩによって参照されるエリア内に前記モバイルデバイスがある確率または尤度の降順で、前記複数の候補ＬＣＩのうちの前記少なくとも２つを配置するための手段をさらに備える、Ｃ２７に記載の装置。
［Ｃ２９］
前記提示されたトップランクの候補ＬＣＩまたは前記提示された別のランクの候補ＬＣＩの前記選択を確認するための手段
をさらに備える、Ｃ２７に記載の装置。
［Ｃ３０］
前記選択を確認するための前記手段が、
ＬＣＩのアクセスポイントの受信信号強度の指示、ＬＣＩのアクセスポイントのグループの平均受信信号強度の指示、前記モバイルデバイスの前の推定位置、前記モバイルデバイスの１つまたは複数のセンサーの出力信号、またはそれらの任意の組合せに少なくとも部分的に基づいて、前記第１の確率または尤度と前記第２の確率または尤度とを計算するための手段
を備える、Ｃ２９に記載の装置。